(57)【要約】【課題】ユーザの利便性向上を図ることができる制御装置、空気調和機システム、空気調和機制御方法およびプログラムを提供する。【解決手段】第１制御情報記憶部１３１は、複数の運転時期それぞれに応じた空気調和機２の制御内容を示す第１制御情報を運転時期に対応づけて記憶する。第２制御情報記憶部１３２は、新たに設定される第２制御情報を日時情報に対応づけて記憶する。制御情報生成部１１３は、操作情報が第１操作内容を示す場合、第１操作内容に基づいて新たに第２制御情報を生成して第２制御情報記憶部１３２の日時情報に対応づけて記憶させる。制御信号生成部１１７は、操作情報が第１操作内容を示す場合、第２制御情報記憶部１３２が記憶する第２制御情報に基づいて、制御信号を生成し、操作情報が第２操作内容を示す場合、特定部１１６により特定された第１制御情報に基づいて、制御信号を生成する。【選択図】図２
2019143908.tif 000002
【特許請求の範囲】
【請求項１】
操作部を有しユーザによる前記操作部に対する操作内容に応じて空気調和機へ制御信号を送信することにより前記空気調和機を制御する制御装置であって、
予め設定された１年間における複数の運転時期それぞれに応じた前記空気調和機の制御内容を示す第１制御情報を、前記複数の運転時期に対応づけて記憶する第１制御情報記憶部と、
新たに設定される前記第１制御情報とは異なる第２制御情報を、前記第２制御情報が設定された運転時期に対応づけて記憶する第２制御情報記憶部と、
前記操作内容を示す操作情報を取得する操作情報取得部と、
前記操作情報が第１操作内容を示す場合、前記第１操作内容に基づいて新たに前記第２制御情報を生成して前記第２制御情報記憶部に前記操作情報を取得した時点の運転時期に対応づけて記憶させる制御情報生成部と、
前記第１制御情報記憶部が記憶する、前記操作情報を取得した時点の運転時期に対応する第１制御情報を、前記第２制御情報で更新する更新部と、
前記操作情報が前記第１操作内容とは異なる第２操作内容を示す場合、前記第１制御情報記憶部が記憶する複数の第１制御情報から、前記操作情報を取得した時点の運転時期に対応する第１制御情報を特定する特定部と、
前記操作情報が第１操作内容を示す場合、前記第２制御情報記憶部が記憶する第２制御情報に基づいて、前記制御信号を生成し、前記操作情報が前記第２操作内容を示す場合、前記特定部により特定された第１制御情報に基づいて、前記制御信号を生成する制御信号生成部と、を備える、
制御装置。
【請求項２】
前記更新部は、前記操作情報が前記第１操作内容および前記第２操作内容とは異なる第３操作内容を示す場合、前記第１制御情報記憶部が記憶する、前記操作情報を取得した時点の運転時期に対応する第１制御情報を、前記第２制御情報で更新する、
請求項１に記載の制御装置。
【請求項３】
前記更新部は、前記第１操作内容を示す操作情報の取得回数に応じて、前記第１制御情報記憶部が記憶する、前記操作情報を取得した時点の運転時期に対応する第１制御情報を、前記第２制御情報で更新する、
請求項１に記載の制御装置。
【請求項４】
前記空気調和機が設置された環境に関する環境情報を取得する環境情報取得部と、
前記環境情報取得部が取得した環境情報と、前記第２制御情報記憶部が記憶する環境情報と、が類似しているか否かを判定する類似判定部と、を更に備え、
前記第２制御情報記憶部は、前記第２制御情報を、前記第２制御情報が設定された運転時期とともに、前記運転時期に前記環境情報取得部が取得した環境情報に対応づけて記憶し、
前記制御信号生成部は、前記類似判定部により類似していないと判定されたとき、前記特定部により特定された第１制御情報に基づいて、前記制御信号を生成し、前記類似判定部により類似していると判定されたとき、前記第２制御情報記憶部が記憶する第２制御情報に基づいて、前記制御信号を生成する、
請求項１から３のいずれか１項に記載の制御装置。
【請求項５】
前記空気調和機は、複数存在し、
前記第１制御情報記憶部は、予め設定された１年間における複数の運転時期それぞれに応じた前記複数の空気調和機それぞれの制御内容を示す第１制御情報を、前記複数の運転時期に対応づけて記憶し、
前記第２制御情報記憶部は、前記複数の空気調和機それぞれについて、新たに設定される前記第１制御情報とは異なる第２制御情報を、前記第２制御情報が設定された運転時期に対応づけて記憶し、
前記制御情報生成部は、前記操作情報が前記第１操作内容を示す場合、前記第１操作内容に基づいて新たに第２制御情報を生成して前記第２制御情報記憶部に前記操作情報を取得した時点の運転時期に対応づけて記憶させ、
前記更新部は、前記第１制御情報記憶部が記憶する、前記操作情報を取得した時点の運転時期に対応する第１制御情報を、前記第２制御情報で更新する、
請求項１から４のいずれか１項に記載の制御装置。
【請求項６】
前記第１制御情報記憶部は、予め設定された１年間における複数の運転時期それぞれに応じた前記空気調和機の制御内容を示す複数種類の第１制御情報を、前記複数の運転時期に対応づけて記憶し、
前記操作情報は、前記第１制御情報の種類を識別する種類識別情報を含み、
前記制御情報生成部は、前記操作情報に含まれる種類識別情報に基づいて、前記第１制御情報記憶部が記憶する複数種類の第１制御情報の中から、前記種類識別情報に対応する第１制御情報を取得し、取得した第１制御情報を、前記第２制御情報として前記第２制御情報記憶部に記憶させる、
請求項１から５のいずれか１項に記載の制御装置。
【請求項７】
前記制御情報生成部は、前記操作情報取得部による同一の種類識別情報を含む操作情報の取得回数に基づいて、前記第２制御情報を生成する、
請求項６に記載の制御装置。
【請求項８】
前記操作情報は、前記空気調和機の設定温度を示す設定温度情報を含み、
前記制御情報生成部は、前記設定温度情報に基づいて、前記第２制御情報を生成する、
請求項１から７のいずれか１項に記載の制御装置。
【請求項９】
前記空気調和機が設置された地域を示す設置地域情報を取得する地域情報取得部と、
前記地域情報取得部が取得する設置地域情報に基づいて、前記第１制御情報記憶部が記憶する複数の第１制御情報それぞれに対応する運転時期を設定する運転時期設定部と、を更に備える、
請求項１から８のいずれか１項に記載の制御装置。
【請求項１０】
空気調和機と、
操作部を有しユーザによる前記操作部に対する操作内容に応じて前記空気調和機へ制御信号を送信することにより前記空気調和機を制御する制御装置と、を備え、
前記制御装置は、
予め設定された１年間における複数の運転時期それぞれに応じた前記空気調和機の制御内容を示す第１制御情報を、前記複数の運転時期に対応づけて記憶する第１制御情報記憶部と、
新たに設定される前記第１制御情報とは異なる第２制御情報を、前記第２制御情報が設定された運転時期に対応づけて記憶する第２制御情報記憶部と、
前記操作内容を示す操作情報を取得する操作情報取得部と、
前記操作情報が第１操作内容を示す場合、前記第１操作内容に基づいて新たに前記第２制御情報を生成して前記第２制御情報記憶部に前記操作情報を取得した時点の運転時期に対応づけて記憶させる制御情報生成部と、
前記第１制御情報記憶部が記憶する、前記操作情報を取得した時点の運転時期に対応する第１制御情報を、前記第２制御情報で更新する更新部と、
前記操作情報が前記第１操作内容とは異なる第２操作内容を示す場合、前記第１制御情報記憶部が記憶する複数の第１制御情報から、前記操作情報を取得した時点の運転時期に対応する第１制御情報を特定する特定部と、
前記操作情報が第１操作内容を示す場合、前記第２制御情報記憶部が記憶する第２制御情報に基づいて、前記制御信号を生成し、前記操作情報が前記第２操作内容を示す場合、前記特定部により特定された第１制御情報に基づいて、前記制御信号を生成する制御信号生成部と、を有する、
空気調和機システム。
【請求項１１】
ユーザによる制御装置の操作部に対する操作内容に応じて空気調和機へ制御信号を送信することにより前記空気調和機を制御する空気調和機制御方法であって、
予め設定された１年間における複数の運転時期それぞれに応じた前記空気調和機の制御内容を示す第１制御情報を、前記複数の運転時期に対応づけて第１制御情報記憶部に記憶させるステップと、
前記操作内容を示す操作情報を取得するステップと、
前記操作情報が第１操作内容を示す場合、前記第１操作内容に基づいて新たに第２制御情報を生成して、前記操作情報を取得した時点の運転時期に対応づけて第２制御情報記憶部に記憶させるステップと、
前記第１制御情報記憶部が記憶する、前記操作情報を取得した時点の運転時期に対応する第１制御情報を、前記第２制御情報で更新するステップと、
前記操作情報が前記第１操作内容とは異なる第２操作内容を示す場合、前記第１制御情報記憶部が記憶する複数の第１制御情報から、前記操作情報を取得した時点の運転時期に対応する第１制御情報を特定するステップと、
前記操作情報が第１操作内容を示す場合、前記第２制御情報記憶部が記憶する第２制御情報に基づいて、前記制御信号を生成し、前記操作情報が前記第２操作内容を示す場合、特定された第１制御情報に基づいて、前記制御信号を生成するステップと、を含む、
空気調和機制御方法。
【請求項１２】
コンピュータを、
ユーザによる制御装置の操作部に対する操作内容を示す操作情報を取得する操作情報取得部、
前記操作情報が第１操作内容を示す場合、前記第１操作内容に基づいて新たに第２制御情報を生成して前記操作情報を取得した時点の運転時期に対応づけて第２制御情報記憶部に記憶させる制御情報生成部、
予め設定された１年間における複数の運転時期それぞれに応じた空気調和機の制御内容を示す第１制御情報を、前記複数の運転時期に対応づけて記憶する第１制御情報記憶部が記憶する、前記操作情報を取得した時点の運転時期に対応する第１制御情報を、前記第２制御情報で更新する更新部、
前記操作情報が前記第１操作内容とは異なる第２操作内容を示す場合、前記第１制御情報記憶部が記憶する複数の第１制御情報から、前記操作情報を取得した時点の運転時期に対応する第１制御情報を特定する特定部、
前記操作情報が第１操作内容を示す場合、前記第２制御情報記憶部が記憶する第２制御情報に基づいて、制御信号を生成し、前記操作情報が前記第２操作内容を示す場合、前記特定部により特定された第１制御情報に基づいて、制御信号を生成する制御信号生成部、
として機能させるためのプログラム。
【発明の詳細な説明】
【技術分野】
【０００１】
本発明は、制御装置、空気調和機システム、空気調和機制御方法およびプログラムに関する。
【背景技術】
【０００２】
ユーザが、空気調和機が設置されている環境、地域等の条件に応じた空気調和機の制御情報を、情報端末を介してサーバから取得することができるシステムが提案されている（例えば特許文献１参照）。
【先行技術文献】
【特許文献】
【０００３】
【特許文献１】特開２００３−３５４４９号公報
【発明の概要】
【発明が解決しようとする課題】
【０００４】
しかしながら、特許文献１に記載されたシステムでは、例えばユーザが空気調和機の設置環境の一時的な変化に伴い空気調和機の運転状態を変更した後、再度空気調和機が設置されている環境、地域等の条件に応じた運転状態に戻す場合、ユーザは再度情報端末を介してサーバから制御情報を取得する必要がある。このため、ユーザは、空気調和機の運転状態を一時的に変更する場合に手間を要することとなりユーザの利便性が損なわれる虞がある。
【０００５】
本発明は、上記事由に鑑みてなされたものであり、ユーザの利便性向上を図ることができる制御装置、空気調和機システム、空気調和機制御方法およびプログラムを提供することを目的とする。
【課題を解決するための手段】
【０００６】
上記目的を達成するために、本発明に係る制御装置は、
操作部を有しユーザによる前記操作部に対する操作内容に応じて空気調和機へ制御信号を送信することにより前記空気調和機を制御する制御装置であって、
予め設定された１年間における複数の運転時期それぞれに応じた前記空気調和機の制御内容を示す第１制御情報を、前記複数の運転時期に対応づけて記憶する第１制御情報記憶部と、
新たに設定される前記第１制御情報とは異なる第２制御情報を、前記第２制御情報が設定された運転時期に対応づけて記憶する第２制御情報記憶部と、
前記操作内容を示す操作情報を取得する操作情報取得部と、
前記操作情報が第１操作内容を示す場合、前記第１操作内容に基づいて新たに前記第２制御情報を生成して前記第２制御情報記憶部に前記操作情報を取得した時点の運転時期に対応づけて記憶させる制御情報生成部と、
前記第１制御情報記憶部が記憶する、前記操作情報を取得した時点の運転時期に対応する第１制御情報を、前記第２制御情報で更新する更新部と、
前記操作情報が前記第１操作内容とは異なる第２操作内容を示す場合、前記第１制御情報記憶部が記憶する複数の第１制御情報から、前記操作情報を取得した時点の運転時期に対応する第１制御情報を特定する特定部と、
前記操作情報が第１操作内容を示す場合、前記第２制御情報記憶部が記憶する第２制御情報に基づいて、前記制御信号を生成し、前記操作情報が前記第２操作内容を示す場合、前記特定部により特定された第１制御情報に基づいて、前記制御信号を生成する制御信号生成部と、を備える。
【発明の効果】
【０００７】
本発明によれば、ユーザの利便性向上を図ることができる。
【図面の簡単な説明】
【０００８】
【図１】実施の形態１に係る空気調和機システムのハードウェア構成を示すブロック図
【図２】実施の形態１に係る制御装置の機能構成を示すブロック図
【図３】（Ａ）は実施の形態１に係る第１制御情報記憶部の内容の一例を示す図、（Ｂ）は設定温度情報記憶部の内容の一例を示す図
【図４】実施の形態１に係る制御装置の表示部に表示される画面の一例を示す図
【図５】実施の形態１に係る制御装置が実行する空気調和機制御処理の流れの一例を示すフローチャート
【図６】実施の形態２に係る制御装置の機能構成を示すブロック図
【図７】実施の形態２に係る制御装置の表示部に表示される画面の一例を示す図
【図８】実施の形態２に係る制御装置が実行する空気調和機制御処理の流れの一例を示すフローチャート
【図９】実施の形態３に係る空気調和機システムのハードウェア構成を示すブロック図
【図１０】実施の形態３に係る制御装置の機能構成を示すブロック図
【図１１】実施の形態３に係る制御装置が実行する空気調和機制御処理の流れの一例を示すフローチャート
【図１２】実施の形態３に係る制御装置が実行する空気調和機制御処理の流れの一例を示すフローチャート
【図１３】実施の形態４に係る制御装置の機能構成を示すブロック図
【図１４】実施の形態４に係る制御装置が実行する空気調和機制御処理の流れの一例を示すフローチャート
【図１５】実施の形態４に係る制御装置が実行する空気調和機制御処理の流れの一例を示すフローチャート
【図１６】変形例に係る空気調和機システムのハードウェア構成を示すブロック図
【図１７】変形例に係る第１制御情報記憶部の内容の一例を示す図
【図１８】変形例に係る制御装置の表示部に表示される画面の一例を示す図
【図１９】変形例に係る制御装置の機能構成を示すブロック図
【図２０】変形例に係る第１制御情報記憶部の内容の一例を示す図
【図２１】変形例に係る設定温度情報記憶部の内容の一例を示す図
【図２２】変形例に係る制御装置の表示部に表示される画面の一例を示す図
【図２３】変形例に係る制御装置が実行する空気調和機制御処理の流れの一例を示すフローチャート
【図２４】変形例に係る制御装置が実行する空気調和機制御処理の流れの一例を示すフローチャート
【図２５】変形例に係る第１制御情報記憶部の内容の一例を示す図
【発明を実施するための形態】
【０００９】
（実施の形態１）
以下、本発明の実施の形態に係る空気調和機システムについて、添付図面を参照しながら説明する。本実施の形態に係る空気調和機システムは、空気調和機と、操作部を有しユーザによる操作部に対する操作内容に応じて空気調和機へ制御信号を送信することにより空気調和機を制御する制御装置と、を備える。制御装置は、予め設定された１年間における複数の運転時期それぞれに応じた空気調和機の制御内容を示す第１制御情報を、複数の運転時期に対応づけて記憶する第１制御情報記憶部と、新たに設定される第２制御情報を、第２制御情報が設定された運転時期に対応づけて記憶する第２制御情報記憶部と、を有する。制御情報生成部は、操作情報取得部が取得した操作情報が第１操作内容を示す場合、第１操作内容に基づいて新たに第２制御情報を生成して、操作情報を取得した時点の運転時期に対応づけて第２制御情報記憶部に記憶させる。特定部は、操作情報が第２操作内容を示す場合、第１制御情報記憶部が記憶する複数の第１制御情報から、操作情報を取得した時点の運転時期に対応する第１制御情報を特定する。また、更新部は、操作情報が第３操作内容を示す場合、第１制御情報記憶部が記憶する、操作情報を取得した時点の運転時期に対応する第１制御情報を、第２制御情報で更新する。制御信号生成部は、操作情報が第１操作内容を示す場合、第２制御情報記憶部が記憶する第２制御情報に基づいて、制御信号を生成する。一方、制御信号生成部は、操作情報が第２操作内容または第３操作内容を示す場合、特定部により特定された第１制御情報に基づいて、制御信号を生成する。
【００１０】
本実施の形態に係る空気調和機システムは、図１に示すように、制御装置１と空気調和機２とを備える。空気調和機２は、冷房モード、除湿モード、暖房モードおよび送風モードの４種類の運転モードで動作可能であり、設定温度も「高」、「標準」、「低」の３段階に切り替え可能となっている。空気調和機２は、冷媒を圧縮する圧縮機２３と、圧縮機２３を駆動する駆動部２２と、送風ファン２８と、送風ファン２８を駆動する駆動部２７と、駆動部２２、２７を制御する制御部２１と、を有する。駆動部２２は、インバータ回路（図示せず）、インバータ制御回路（図示せず）等を有し、制御部２１から入力される制御信号に応じた回転数で圧縮機２３を駆動する。駆動部２７もインバータ回路（図示せず）、インバータ制御回路（図示せず）等を有し、制御部２１から入力される制御信号に応じた回転数で送風ファン２８を駆動する。
【００１１】
制御部２１は、ＣＰＵ（Central Processing Unit）２０１と、主記憶部２０２と、補助記憶部２０３と、インタフェース２０４ａ、２０４ｂと、制御装置１と通信するための通信部２０５と、これらを相互に接続するバス２０９と、を有する。主記憶部２０２は、揮発性メモリであり、ＣＰＵ２０１の作業領域として用いられる。補助記憶部２０３は、磁気ディスク、半導体フラッシュメモリ等の不揮発性メモリであり、制御部２１の各種機能を実現するためのプログラムを記憶する。インタフェース２０４ａは、ＣＰＵ２０１から入力される圧縮機２３の制御情報を制御信号に変換して駆動部２２へ出力する。インタフェース２０４ｂは、ＣＰＵ２０１から入力される送風ファン２８の制御情報を制御信号に変換して駆動部２７へ出力する。通信部２０５は、無線モジュールまたは有線通信インタフェースであり、制御装置１との間で無線または有線で通信する。ＣＰＵ２０１は、補助記憶部２０３が記憶するプログラムを主記憶部２０２に読み出して実行することにより、図２に示すように、空調制御部２１１として機能する。空調制御部２１１は、圧縮機２３および送風ファン２８が前述の各運転モードおよび各設定温度に応じた動作を実行するよう制御する。
【００１２】
図１に戻って、制御装置１は、ＣＰＵ１０１と、主記憶部１０２と、補助記憶部１０３と、インタフェース１０４ａ、１０４ｂと、空気調和機２と通信するための通信部１０５と、これらを相互に接続するバス１０９と、操作部１６と、を有する。操作部１６は、空気調和機２の操作画面を表示する表示部１６１と、ユーザにより操作される入力部１６２と、を有する。表示部１６１は、例えば液晶ディスプレイであり、入力部１６２は、例えば表示部１６１の表示画面上に重ねて配置されたタッチパネルである。主記憶部１０２は、揮発性メモリであり、ＣＰＵ１０１の作業領域として用いられる。補助記憶部１０３は、磁気ディスク、半導体フラッシュメモリ等の不揮発性メモリであり、制御装置１の各種機能を実現するためのプログラムを記憶する。インタフェース１０４ａは、表示部１６１に接続され、ＣＰＵ２０１から入力される各種表示情報を表示部１６１へ出力する。インタフェース１０４ｂは、入力部１６２に接続され、入力部１６２から入力される各種操作情報をＣＰＵ１０１へ出力する。通信部１０５は、無線モジュールまたは有線通信インタフェースであり、空気調和機２との間で無線または有線で通信する。
【００１３】
ＣＰＵ１０１は、補助記憶部１０３が記憶するプログラムを主記憶部１０２に読み出して実行することにより、図２に示すように、操作情報取得部１１１、操作内容判別部１１２、制御情報生成部１１３、更新部１１４、計時部１１５、特定部１１６および制御信号生成部１１７として機能する。補助記憶部１０３は、空気調和機２の制御内容を示す第１制御情報を記憶する第１制御情報記憶部１３１と、新たに設定される第２制御情報を記憶する第２制御情報記憶部１３２と、を有する。また、補助記憶部１０３は、空気調和機２の設定温度を記憶する設定温度情報記憶部１３３を有する。第１制御情報記憶部１３１は、予め設定された１年間における複数の運転時期それぞれに応じた空気調和機２の運転モード情報および設定温度識別情報を含む第１制御情報を、複数の運転時期に対応づけて記憶する。第１制御情報記憶部１３１は、例えば図３（Ａ）に示すように、１年間を５つの運転時期「春」、「梅雨」、「夏」、「秋」、「冬」に分割したときの各運転時期における運転モード情報と設定温度識別情報とを記憶する。
【００１４】
第２制御情報記憶部１３２は、ユーザにより新たに設定される運転モード情報および設定温度識別情報を含む第２制御情報を、第２制御情報が設定された運転時期に対応づけて記憶する。例えば、ユーザが「春」に相当する期間内に操作部１６を介して新たに運転モード情報および設定温度情報を設定した場合、第２制御情報記憶部１３２は、新たに設定した運転モード情報および設定温度情報を、「春」の季節識別情報「ＩＤＳ１」と対応付けて記憶する。
【００１５】
設定温度情報記憶部１３３は、図３（Ｂ）に示すように、空気調和機２の設定温度を示す温度情報を、運転モード識別情報と設定温度識別情報との組み合わせに対応づけて記憶する。
【００１６】
図２に戻って、操作情報取得部１１１は、ユーザによる操作部１６に対する操作内容を示す操作情報を取得する。操作情報取得部１１１は、例えば図４に示すような操作画面１６１ａを表示部１６１に表示させる。そして、操作情報取得部１１１は、操作画面１６１ａに表示された釦Ｂ１、Ｂ２１、Ｂ２２、Ｂ２３、Ｂ３のうちユーザが入力部１６２を介して選択した釦を示す情報を取得する。例えばユーザがおまかせ釦Ｂ１を選択すると、操作情報取得部１１１は、おまかせ釦Ｂ１を示す情報を取得する。
【００１７】
図２に戻って、操作内容判別部１１２は、操作情報取得部１１１が取得した操作情報が示す操作内容を判別する。操作内容判別部１１２は、判別した操作内容に応じて、操作内容を示す情報を制御情報生成部１１３、更新部１１４または特定部１１６へ通知する。操作内容判別部１１２は、例えば図４に示す操作画面１６１ａ中のおまかせ釦Ｂ１が選択されると、おまかせ釦Ｂ１を示す情報を特定部１１６へ通知する。また、操作内容判別部１１２は、操作画面１６１ａ中の「高め」釦Ｂ２１、「標準」釦Ｂ２２、「低め」釦Ｂ２３のいずれかが選択されると、選択した釦を示す情報を制御情報生成部１１３へ通知する。更に、操作内容判別部１１２は、操作画面１６１ａ中の学習釦Ｂ３が選択されると、学習釦Ｂ３を示す情報を更新部１１４へ通知する。
【００１８】
計時部１１５は、例えばソフトウェアタイマを有し、操作情報取得部１１１が操作情報を取得した時点を示す日時情報を出力する。
【００１９】
制御情報生成部１１３は、操作内容判別部１１２により操作情報が温度設定釦のいずれかを選択する操作である第１操作内容を示すと判別された場合、第１操作内容に基づいて新たに運転モード情報および設定温度識別情報を含む第２制御情報を生成する。第２制御情報のフォーマットは、第１制御情報のフォーマットと同じである。温度設定釦として、例えば図４に示すように、「高め」釦Ｂ２１、「標準」釦Ｂ２２、「低め」釦Ｂ２３が設けられている。例えば「夏」の季節において、空気調和機２が「冷房」モードで運転しているときに、ユーザが操作部１６から「高め」釦Ｂ２１を選択したとする。この場合、制御情報生成部１１３は、設定温度情報記憶部１３３から、「冷房」モードと「高め」との組み合わせに対応する設定温度識別情報ＩＤＴ１を取得し、取得した設定温度識別情報ＩＤＴ１を含む第２制御情報を生成する。そして、制御情報生成部１１３は、計時部１１５から入力される日時情報に基づいて、操作情報取得部１１１が操作情報を取得した時点の運転時期を特定し、生成した第２制御情報を、特定した運転時期に対応づけて第２制御情報記憶部１３２に記憶させる。
【００２０】
特定部１１６は、操作内容判別部１１２により操作情報がおまかせ釦Ｂ１を選択する操作である第２操作内容を示すと判別された場合、第１制御情報記憶部１３１が記憶する複数の第１制御情報から、操作情報を取得した時点の運転時期に対応する第１制御情報を特定する。ここで、特定部１１６は、計時部１１５から入力される日時情報に基づいて、操作情報取得部１１１から操作情報を取得した時点の運転時期を特定し、特定した運転時期に対応する第１制御情報を特定する。
【００２１】
更新部１１４は、操作内容判別部１１２により操作情報が学習釦Ｂ３を選択する操作である第３操作内容を示すと判別された場合、第１制御情報記憶部１３１が記憶する第１制御情報の一部を、第２制御情報記憶部１３２が記憶する第２制御情報で更新する。ここで、更新部１１４は、第１制御情報記憶部１３１が記憶する、操作情報取得部１１１が操作情報を取得した時点の運転時期に対応する第１制御情報を、第２制御情報記憶部１３２が記憶する第２制御情報で更新する。また、更新部１１４は、第２制御情報記憶部１３２が第２制御情報を記憶していない場合、第１制御情報記憶部１３１が記憶する第１制御情報の更新を回避する。
【００２２】
制御信号生成部１１７は、操作内容判別部１１２により操作情報が前述の第１操作内容を示すと判別された場合、第２制御情報記憶部１３２が記憶する第２制御情報に基づいて、制御信号を生成する。一方、制御信号生成部１１７は、操作内容判別部１１２により操作情報が前述の第２操作内容または第３操作内容を示すと判別された場合、特定部１１６により特定された第１制御情報に基づいて、制御信号を生成する。制御信号生成部１１７は、生成した制御信号を、通信部１０５を介して空気調和機２へ送信する。
【００２３】
次に、本実施の形態に係る制御装置１が実行する空気調和機制御処理について図５を参照しながら説明する。この空気調和機制御処理は、例えば空気調和機２が運転している状態で制御装置１へ電源が投入されたことを契機として開始される。
【００２４】
まず、操作情報取得部１１１は、操作部１６から操作情報を取得したか否かを判定する（ステップＳ１０１）。ここで、操作情報取得部１１１は、ユーザによる操作部１６の入力部１６２を介した操作を受け付けると、操作情報を取得し、操作情報を取得したと判定する。操作情報取得部１１１は、操作情報を取得しない限り（ステップＳ１０１：Ｎｏ）、待機状態を維持する。一方、操作情報取得部１１１が、操作情報を取得すると（ステップＳ１０１：Ｙｅｓ）、操作内容判別部１１２は、操作情報が示す操作内容が温度設定釦の選択を示しているか否かを判定する（ステップＳ１０２）。
【００２５】
操作内容判別部１１２が、操作情報が示す操作内容が前述の第１操作内容、即ち、温度設定釦の選択を示していると判定したとする（ステップＳ１０２：Ｙｅｓ）。この場合、制御情報生成部１１３は、計時部１１５から日時情報を取得する（ステップＳ１０３）。次に、制御情報生成部１１３は、前述の第１操作内容、即ち、ユーザにより選択された温度設定釦の種類に基づいて、新たに運転モード情報および設定温度識別情報を含む第２制御情報を生成し、取得した日時情報に対応づけて第２制御情報記憶部１３２に記憶させる（ステップＳ１０４）。ここで、制御情報生成部１１３は、設定温度情報記憶部１３３から、空気調和機２の運転モードを示す運転モード識別情報と選択された温度設定釦に対応する設定温度識別情報との組み合わせに応じた設定温度識別情報を取得し、取得した設定温度識別情報を含む第２制御情報を生成する。その後、制御信号生成部１１７が、第２制御情報記憶部１３２から第２制御情報を取得し（ステップＳ１０５）、後述するステップＳ１１３の処理が実行される。
【００２６】
また、ステップＳ１０２において、操作内容判別部１１２は、操作情報が示す操作内容が温度設定釦の選択以外を示していると判定すると（ステップＳ１０２：Ｎｏ）、操作内容が前述の第３操作内容、即ち、学習釦Ｂ３を選択する操作を示しているか否かを判定する（ステップＳ１０６）。操作内容判別部１１２が、操作情報が示す操作内容が前述の第２操作内容、即ち、おまかせ釦の選択を示していると判定すると（ステップＳ１０６：Ｎｏ）、後述するステップＳ１１０の処理が実行される。
【００２７】
一方、操作内容判別部１１２が、操作情報が示す操作内容が前述の第３操作内容、即ち、学習釦の選択を示していると判定すると（ステップＳ１０６：Ｙｅｓ）、更新部１１４が、第２制御情報記憶部１３２が第２制御情報を記憶しているか否かを判定する（ステップＳ１０７）。ここで、第２制御情報記憶部１３２は、操作情報取得部１１１が以前に前述の第１操作内容、即ち、温度設定釦の選択を示す操作情報を取得していない場合、即ち、ユーザにより温度設定釦が選択された履歴が無い場合、第２制御情報を記憶していない状態となっている。更新部１１４により第２制御情報記憶部１３２が第２制御情報を記憶していないと判定すると（ステップＳ１０７：Ｎｏ）、後述するステップＳ１１０の処理が実行される。
【００２８】
一方、更新部１１４が、第２制御情報記憶部１３２が第２制御情報を記憶していると判定したとする（ステップＳ１０７：Ｙｅｓ）。この場合、更新部１１４は、第２制御情報記憶部１３２から第２制御情報を取得し（ステップＳ１０８）、第１制御情報記憶部１３１が記憶する、操作情報取得部１１１が操作情報を取得した時点の運転時期に対応する第１制御情報を、取得した第２制御情報で更新する（ステップＳ１０９）。
【００２９】
続いて、特定部１１６は、計時部１１５から日時情報を取得し（ステップＳ１１０）、第１制御情報記憶部１３１が記憶する期間情報を参照して、取得した日時情報に基づいて、操作情報取得部１１１から操作情報を取得した時点の運転時期を特定する。そして、特定部１１６は、特定した運転時期に対応する第１制御情報を特定する（ステップＳ１１１）。
【００３０】
その後、制御信号生成部１１７は、特定した第１制御情報を取得し（ステップＳ１１２）、取得した第１制御情報に基づいて、制御信号を生成して空気調和機２へ送信する（ステップＳ１１３）。次に、再びステップＳ１０１の処理が実行される。
【００３１】
以上説明したように、本実施の形態に係る制御装置１では、ユーザは、操作部１６に対して前述の第１操作内容の操作、即ち、温度設定釦の選択を行った後であっても、第１制御情報記憶部１３１の第１制御情報が第２制御情報により更新されない限り、操作部１６に対して前述の第２操作内容の操作、即ち、おまかせ釦の選択を行うだけで、第１制御情報に基づく制御信号が空気調和機２へ送信される。即ち、ユーザは、操作部１６に対して前述の第１操作内容の操作を行うことにより空気調和機２を第２制御情報に基づいて運転させた後、操作部１６に対して前述の第２操作内容の操作を行うだけで、再び空気調和機２を第１制御情報に基づいて運転させることができる。従って、ユーザは、空気調和機２の運転状態を第１制御情報に基づいた運転状態と第２制御情報に基づいた運転状態との間で簡単に切り替えることができるので、ユーザの利便性が向上する。また、更新部１１４が、第１制御情報記憶部１３１が記憶する、操作情報を取得した時点の運転時期に対応する第１制御情報を、第２制御情報で更新する。これにより、ユーザが更新部１１４を介してユーザの嗜好に合わせて第１制御情報を第２制御情報で更新して第１制御情報記憶部１３１が記憶する第１制御情報をカスタマイズすることができるので、この点でもユーザの利便性が向上する。
【００３２】
また、本実施の形態に係る空気調和機システムでは、空気調和機２を運転期間、即ち、季節毎に最適な設定で動作をさせることができる。また、ユーザは、空気調和機２を、予め第１制御情報記憶部１３１に記憶されている第１制御情報に基づくいわゆる「おまかせ運転」で動作させているときに、一時的な環境の変化またはユーザの体調により、空気調和機２をユーザが新たに設定した第２制御情報に基づいて暫定的に運転させることができる。そして、空気調和機２が第２制御情報に基づいて動作しているときに、おまかせ釦を選択するだけで、再び空気調和機２を第１制御情報に基づいて運転させる、即ち、いわゆるおまかせ運転をさせることができる。更に、ユーザは、空気調和機２の第２制御情報に基づく運転を気に入った場合、その第２制御情報を第１制御情報記憶部１３１に記憶させることにより、ユーザは何度も第２制御情報の設定を行う必要が無くなるので、利便性が向上する。
【００３３】
（実施の形態２）
本実施の形態に係る制御装置は、更新部が、前述の第１操作内容を示す操作情報の取得回数に応じて、第１制御情報記憶部が記憶する、操作情報を取得した時点の運転時期に対応する第１制御情報を、第２制御情報で更新する。図６に示すように、本実施の形態に係る制御装置２００１は、カウント部２１１４を備える点で実施の形態１に係る制御装置１と相違する。なお、図６において、実施の形態１と同様の構成については図２と同一の符号を付している。
【００３４】
カウント部２１１４は、制御情報生成部１１３が一の運転期間内において同一内容の第２制御情報を生成した回数をカウントする。ここで、第２制御情報記憶部１３２は、過去に制御情報生成部１１３が生成した複数の第２制御情報を記憶している。カウント部２１１４は、第２制御情報記憶部１３２が記憶する第２制御情報を参照して、一の運転期間内に生成された同一内容の第２制御情報の生成回数をカウントする。そして、カウント部２１１４は、補助記憶部１０３が記憶する同一内容の第２制御情報の生成回数に対する回数閾値を参照し、一の運転期間内における同一内容の第２制御情報の生成回数が回数閾値以上であるか否かを判定する。カウント部２１１４は、一の運転期間内における同一内容の第２制御情報の生成回数が回数閾値以上であると判定すると、第１制御情報記憶部１３１が記憶する第１制御情報を第２制御情報で更新するよう指令する更新指令情報を更新部１１４へ通知する。
【００３５】
更新部１１４は、更新指令情報を受けると、第１制御情報記憶部１３１が記憶する、同一内容の第２制御情報の生成回数が回数閾値以上となった運転時期に対応する第１制御情報を、第２制御情報記憶部１３２が記憶する第２制御情報で更新する。例えば回数閾値が、５回に設定されている場合、更新部１１４は、一の運転期間内に同一内容の第２制御情報が５回生成されると、第１制御情報記憶部１３１が記憶する当該運転期間に対応する第１制御情報を第２制御情報で更新する。また、操作情報取得部１１１は、例えば図７に示すような、おまかせ釦Ｂ１と、温度設定釦Ｂ２１、Ｂ２２、Ｂ２３とを含む操作画面１６１ａを表示部１６１に表示させる。
【００３６】
次に、本実施の形態に係る制御装置２００１が実行する空気調和機制御処理について図８を参照しながら説明する。この空気調和機制御処理は、例えば空気調和機２が運転している状態で制御装置２００１へ電源が投入されたことを契機として開始される。
【００３７】
まず、操作情報取得部１１１は、操作部１６から操作情報を取得すると（ステップＳ２０１：Ｙｅｓ）、操作内容判別部１１２は、操作情報が示す操作内容が温度設定釦の選択を示しているか否かを判定する（ステップＳ２０２）。なお、ステップＳ２０１、Ｓ２０２の処理は、実施の形態１の図５のステップＳ１０１、Ｓ１０２の処理と同様である。操作内容判別部１１２が、操作情報が示す操作内容が温度設定釦の選択以外を示していると判定すると（ステップＳ２０２：Ｎｏ）、ステップＳ２０９以降の処理が実行される。なお、ステップＳ２０９以降の処理は、実施の形態１の図５のステップＳ１１０以降の処理と同様である。
【００３８】
一方、操作内容判別部１１２が、操作情報が示す操作内容が前述の第１操作内容、即ち、温度設定釦の選択を示していると判定したとする（ステップＳ２０２：Ｙｅｓ）。この場合、制御情報生成部１１３は、日時情報を取得し（ステップＳ２０３）、ユーザにより選択された温度設定釦の種類に基づいて、新たに第２制御情報を生成して取得した日時情報に対応づけて第２制御情報記憶部１３２に記憶させる（ステップＳ２０４）。
【００３９】
次に、カウント部２１１４は、制御情報生成部１１３が一の運転期間内において同一内容の第２制御情報を生成した回数をカウントする。そして、カウント部２１１４は、補助記憶部１０３が記憶する同一内容の第２制御情報の生成回数に対する回数閾値を参照し、一の運転期間内における同一内容の第２制御情報の生成回数が回数閾値以上であるか否かを判定する（ステップＳ２０５）。
【００４０】
カウント部２１１４が、一の運転期間内における同一内容の第２制御情報の生成回数が回数閾値未満であると判定すると（ステップＳ２０５：Ｎｏ）、制御信号生成部１１７は、第２制御情報記憶部１３２から第２制御情報を取得し、ステップＳ２１２の処理が実行される。ステップＳ２１２の処理は、実施の形態１の図５のステップＳ１１３の処理と同様である。
【００４１】
一方、カウント部２１１４は、一の運転期間内における同一内容の第２制御情報の生成回数が回数閾値以上であると判定すると（ステップＳ２０５：Ｙｅｓ）、第１制御情報記憶部１３１が記憶する第１制御情報を第２制御情報で更新するよう指令する更新指令情報を更新部１１４へ通知する。そうすると、更新部１１４は、第２制御情報記憶部１３２から第２制御情報を取得し（ステップＳ２０７）、第１制御情報記憶部１３１が記憶する、同一内容の第２制御情報の生成回数が回数閾値以上となった運転時期に対応する第１制御情報を、取得した第２制御情報で更新する（ステップＳ２０８）。その後、ステップＳ２０９以降の処理が実行される。
【００４２】
以上説明したように、本実施の形態に係る制御装置２００１では、更新部１１４が、前述の第１操作内容を示す操作情報の取得回数に応じて、第１制御情報記憶部１３１が記憶する、操作情報を取得した時点の運転時期に対応する第１制御情報を、第２制御情報で更新する。これにより、ユーザは、前述の第３操作内容の操作、即ち、学習釦を選択する操作を行うことなく、第１制御情報記憶部１３１が記憶する第１制御情報をカスタマイズすることができるので、ユーザによる第２制御情報の設定の手間が省かれるという利点がある。
【００４３】
（実施の形態３）
本実施の形態に係る制御装置は、空気調和機が設置された環境に関する環境情報を取得する環境情報取得部を備える。そして、第２制御情報記憶部が、第２制御情報を、第２制御情報が設定された運転時期とともに、運転時期に環境情報取得部が取得した環境情報に対応づけて記憶する。また、制御信号生成部は、操作情報が前述の第２操作内容を示す場合、操作情報を取得した時点の運転時期に環境情報取得部が取得した環境情報と、第２制御情報記憶部が記憶する環境情報と、が類似するとき、第２制御情報に基づいて制御信号を生成して空気調和機へ送信する。
【００４４】
図９に示すように、本実施の形態に係る空気調和機３００２は、建物内の空気調和機３００２が設置された室内の温度を計測する温度センサ２４と、空気調和機３００２が設置された室内の湿度を計測する湿度センサ２５と、を備える点が、実施の形態１に係る空気調和機２と相違する。なお、図９において、実施の形態１と同様の構成については図１と同一の符号を付している。また、図１０に示すように、空気調和機３００２は、環境情報送信部２１３を備える点が実施の形態とは相違する。なお、図１０において、実施の形態１と同様の構成については図２と同一の符号を付している。
【００４５】
環境情報送信部２１３は、温度センサ２４が室内の温度を計測することにより得られる温度情報を取得するとともに、湿度センサ２５が室内の湿度を計測することにより得られる湿度情報を取得し、取得した温度情報および湿度情報を含む環境情報を生成する。そして、環境情報送信部２１３は、生成した環境情報を、通信部２０５を介して制御装置３００１へ送信する。
【００４６】
本実施の形態に係る制御装置３００１は、環境情報取得部３１１５と、類似判定部３１１８と、を備える点が、実施の形態１に係る制御装置１と相違する。環境情報取得部３１１５は、空気調和機３００２が設置された室内の温度を示す温度情報と、空気調和機３００２が設置された室内の湿度を示す湿度情報と、を含む環境情報を取得する。環境情報取得部３１１５は、空気調和機３００２から取得した環境情報を、制御情報生成部１１３または類似判定部３１１８へ通知する。
【００４７】
類似判定部３１１８は、操作情報取得部１１１が操作情報を取得した時点の運転時期に環境情報取得部３１１５が取得した環境情報と、第２制御情報記憶部１３２が記憶する環境情報と、が類似しているか否かを判定する。ここで、類似判定部３１１８は、２つの環境情報それぞれに含まれる温度情報が示す温度の温度差の絶対値が予め設定された温度差閾値以下であり、且つ、２つの環境情報それぞれに含まれる湿度情報が示す湿度の湿度差の絶対値が予め設定された湿度差閾値以下である場合、２つの環境情報が互いに類似していると判定する。類似判定部３１１８は、前述の２つの環境情報が互いに類似していないと判定した場合、非類似通知情報を特定部１１６へ通知する。一方、類似判定部３１１８は、前述の２つの環境情報が互いに類似していると判定した場合、類似通知情報を制御信号生成部１１７へ通知する。
【００４８】
第２制御情報記憶部１３２は、第２制御情報を、第２制御情報が設定された運転時期とともに、当該運転時期に環境情報取得部３１１５が取得した環境情報に対応づけて記憶する。制御信号生成部１１７は、操作情報が前述の第２操作内容、即ち、おまかせ釦を選択する操作を示す場合、類似判定部３１１８により類似していないと判定されたとき、特定部１１６により特定された第１制御情報に基づいて、制御信号を生成する。一方、制御信号生成部１１７は、類似判定部３１１８により類似していると判定されたとき、第２制御情報記憶部１３２が記憶する第２制御情報に基づいて、制御信号を生成する。
【００４９】
次に、本実施の形態に係る制御装置３００１が実行する空気調和機制御処理について図１１および図１２を参照しながら説明する。この空気調和機制御処理は、例えば空気調和機３００２が運転している状態で制御装置３００１へ電源が投入されたことを契機として開始される。
【００５０】
まず、操作情報取得部１１１は、操作部１６から操作情報を取得すると（ステップＳ３０１：Ｙｅｓ）、操作内容判別部１１２は、操作情報が示す操作内容が温度設定釦の選択を示しているか否かを判定する（ステップＳ３０２）。なお、ステップＳ３０１、Ｓ３０２の処理は、実施の形態１の図５のステップＳ１０１、Ｓ１０２の処理と同様である。
【００５１】
操作内容判別部１１２が、操作情報が示す操作内容が前述の第１操作内容、即ち、温度設定釦の選択を示していると判定したとする（ステップＳ３０２：Ｙｅｓ）。この場合、制御情報生成部１１３は、日時情報を取得する（ステップＳ３０３）。次に、環境情報取得部３１１５が、空気調和機３００２から環境情報を取得する（ステップＳ３０４）。続いて、制御情報生成部１１３は、ユーザにより選択された温度設定釦の種類に基づいて、新たに第２制御情報を生成して取得した日時情報および環境情報に対応づけて第２制御情報記憶部１３２に記憶させる（ステップＳ３０５）。その後、制御信号生成部１１７が、第２制御情報を取得し（ステップＳ３０６）、取得した第２制御情報に基づいて制御信号を生成して送信する（ステップＳ３１７）。
【００５２】
また、ステップＳ３０２において、操作内容判別部１１２は、操作情報が示す操作内容が温度設定釦の選択以外を示していると判定すると（ステップＳ３０２：Ｎｏ）、ステップＳ３０７からＳ３１１までの処理が実行される。なお、ステップＳ３０７からＳ３１０までの処理は、実施の形態１の図５のステップＳ１０６からＳ１０９までの処理と同様である。次に、環境情報取得部３１１５は、空気調和機３００２から環境情報を取得する（ステップＳ３１１）。続いて、類似判定部３１１８は、図１２に示すように、操作情報取得部１１１が操作情報を取得した時点の運転時期に環境情報取得部３１１５が取得した環境情報と、第２制御情報記憶部１３２が記憶する環境情報と、が類似しているか否かを判定する（ステップＳ３１２）。類似判定部３１１８により類似していると判定されると（ステップＳ３１２：Ｙｅｓ）、ステップＳ３１３の処理が実行される。なお、ステップＳ３１３の処理は、前述のステップＳ３０５の処理と同様である。類似判定部３１１８により類似していないと判定されると（ステップＳ３１２：Ｎｏ）、ステップＳ３１４以降の処理が実行される。なお、ステップＳ３１４以降の処理は、実施の形態１の図５のステップＳ１１０以降の処理と同様である。
【００５３】
以上説明したように、本実施の形態に係る制御装置３００１では、類似判定部３１１８が、操作情報取得部１１１が操作情報を取得した時点の運転時期に環境情報取得部３１１５が取得した環境情報と、第２制御情報記憶部１３２が記憶する環境情報と、が類似しているか否かを判定する。そして、制御信号生成部１１７が、類似判定部３１１８により類似していると判定されたとき、第２制御情報記憶部１３２が記憶する第２制御情報に基づいて、制御信号を生成する。これにより、空気調和機３００２が設置された室内の環境に応じたユーザの空気調和機３００２の設定傾向が反映された制御信号が空気調和機３００２へ送信される。従って、予め設定された第１制御情報に基づいて空気調和機３００２を制御した場合に比べて、ユーザにとって快適な室内環境を提供することができる。
【００５４】
（実施の形態４）
本実施の形態に係る制御装置は、操作情報取得部が操作情報を取得しない間において、環境情報取得部が、定期的に空気調和機が設置された環境に関する環境情報を取得する。そして、制御信号生成部は、環境情報取得部が取得した環境情報と、第２制御情報記憶部が記憶する環境情報と、が類似する場合、第２制御情報に基づいて制御信号を生成して空気調和機へ送信する。
【００５５】
図１３に示すように、本実施の形態に係る制御装置４００１は、採用制御情報記憶部４１３４と、制御情報判定部４１１９と、を備える点が、実施の形態３に係る制御装置３００１と相違する。なお、図１３において、実施の形態３と同様の構成については図１０と同一の符号を付している。採用制御情報記憶部４１３４は、制御信号生成部１１７が制御信号を生成する際に用いた第１制御情報または第２制御情報を記憶する。制御信号生成部１１７は、第１制御情報または第２制御情報に基づいて、制御信号を生成するとともに、制御信号を生成する際に用いた第１制御情報または第２制御情報を採用制御情報記憶部４１３４に記憶させる。制御情報判定部４１１９は、採用制御情報記憶部４１３４が記憶する制御情報と第２制御情報記憶部１３２が記憶する第２制御情報とが同一であるか否かを判定する。制御情報判定部４１１９は、採用制御情報記憶部４１３４が記憶する制御情報と第２制御情報記憶部１３２が記憶する第２制御情報とが同一であると判定すると、同一通知情報を制御信号生成部１１７へ通知する。
【００５６】
次に、本実施の形態に係る制御装置４００１が実行する空気調和機制御処理について図１４および図１５を参照しながら説明する。この空気調和機制御処理は、例えば空気調和機３００２が運転している状態で制御装置４００１へ電源が投入されたことを契機として開始される。
【００５７】
まず、操作情報取得部１１１は、操作部１６から操作情報を取得すると（ステップＳ４０１：Ｙｅｓ）、図１４および図１５に示すように、ステップＳ４０２からＳ４１３までの処理が実行される。ここで、ステップＳ４０３からＳ４０６までの処理は、前述の実施の形態３の図１１のステップＳ３０３からＳ３０６までの処理と同様である。また、ステップＳ４０７からＳ４１３までの処理は、前述の実施の形態１の図５のステップＳ１０６からＳ１１２までの処理と同様である。次に、制御信号生成部１１７は、特定部１１６により特定された第１制御情報または第２制御情報に基づいて、制御信号を生成して空気調和機３００２へ送信する（ステップＳ４１４）。続いて、制御信号生成部１１７は、制御信号を生成する際に用いた第１制御情報または第２制御情報を採用制御情報記憶部４１３４に記憶させる（ステップＳ４１５）。
【００５８】
一方、操作情報取得部１１１が、操作情報を取得していない場合（ステップＳ４０１：Ｎｏ）、環境情報取得部３１１５は、図１５に示すように、空気調和機３００２から環境情報を取得する時期が到来したか否かを判定する（ステップＳ４１６）。この環境情報取得時期は、予め設定された周期で到来し、例えば１時間毎に到来する。環境情報取得部３１１５により未だ環境情報取得時期が到来していないと判定されると（ステップＳ４１６：Ｎｏ）、再びステップＳ４０１の処理が実行される。
【００５９】
一方、環境情報取得部３１１５は、環境情報取得時期が到来したと判定すると（ステップＳ４１６：Ｙｅｓ）、空気調和機３００２から環境情報を取得する（ステップＳ４１７）。次に、類似判定部３１１８は、環境情報取得部３１１５が取得した環境情報と、第２制御情報記憶部１３２が記憶する環境情報と、が類似しているか否かを判定する（ステップＳ４１８）。類似判定部３１１８により類似していないと判定されると（ステップＳ４１８：Ｎｏ）、再びステップＳ４０１の処理が実行される。
【００６０】
一方、類似判定部３１１８により類似していると判定されると（ステップＳ４１８：Ｙｅｓ）、制御情報判定部４１１９は、空気調和機３００２が第２制御情報記憶部１３２に記憶された第２制御情報と同一の制御情報に応じた運転を継続しているか否かを判定する（ステップＳ４１９）。ここで、制御情報判定部４１１９は、採用制御情報記憶部４１３４から直近で空気調和機３００２へ送信した制御信号に対応する制御情報を取得し、取得した制御情報と第２制御情報とを比較して、両者が同一であるか否かを判定する。制御情報判定部４１１９は、前述の両者が同一であると判定すると、空気調和機３００２が第２制御情報と同一の制御情報に応じた運転を継続していると判定する。
【００６１】
制御情報判定部４１１９により空気調和機３００２が第２制御情報記憶部１３２が記憶する第２制御情報と同一の制御情報に応じた運転を継続していると判定されると（ステップＳ４１９：Ｙｅｓ）、再びステップＳ４０１の処理が実行される。一方、制御情報判定部４１１９により空気調和機３００２が第２制御情報記憶部１３２が記憶する第２制御情報とは異なる制御情報に応じた運転をしていると判定されると（ステップＳ４１９：Ｎｏ）、制御信号生成部１１７は、第２制御情報記憶部１３２から第２制御情報を取得し（ステップＳ４２０）、ステップＳ４１４の処理を実行する。
【００６２】
以上説明したように、本実施の形態に係る制御装置４００１では、類似判定部３１１８が、操作情報取得部１１１が操作情報を取得しない間において、環境情報取得部３１１５が、定期的に空気調和機３００２が設置された環境に関する環境情報を取得する。そして、制御信号生成部１１７は、環境情報取得部３１１５が取得した環境情報と、第２制御情報記憶部１３２が記憶する環境情報と、が類似するとき、第２制御情報に基づいて制御信号を生成して空気調和機３００２へ送信する。これにより、ユーザが制御装置４００１を介して空気調和機３００２の運転状態を変更するための操作を行うことなく、ユーザの空気調和機３００２の設定傾向が反映された制御信号が空気調和機３００２へ送信される。従って、ユーザの空気調和機３００２の設定変更の手間を省きつつ、ユーザにとって快適な室内環境を提供することができる。
【００６３】
以上、本発明の各実施の形態について説明したが、本発明は実施の形態によって限定されるものではない。例えば、図１６に示すように、制御装置１が、複数（図１６では２つ）の空気調和機２Ａ、２Ｂを制御するものであってもよい。なお、図１６において実施の形態１と同様の構成については図１と同一の符号を付している。また、制御装置１の機能構成は、図２に示す機能構成と同様である。この場合、図２に示す第１制御情報記憶部１３１は、２つの空気調和機２Ａ、２Ｂそれぞれについて、予め設定された１年間における複数の運転時期それぞれに応じた空気調和機２Ａ、２Ｂの運転モード情報および設定温度識別情報を含む第１制御情報を、複数の運転時期に対応づけて記憶する。第１制御情報記憶部１３１は、例えば図１７に示すように、１年間を５つの運転時期「春」、「梅雨」、「夏」、「秋」、「冬」に分割したときの各運転時期における空気調和機２Ａ、２Ｂそれぞれの運転モード情報と設定温度識別情報とを記憶する。また、図２に示す操作情報取得部１１１は、例えば図１８に示すような操作画面５１６１ａを表示部１６１に表示させる。そして、操作情報取得部１１１は、操作画面１６１ａに表示された釦Ｂ１、Ｂ５１２１、Ｂ５１２２、Ｂ５１２３、Ｂ５２２１、Ｂ５２２２、Ｂ５２２３、Ｂ３のうちユーザが入力部１６２を介して選択した釦を示す情報を取得する。ここで、釦Ｂ５１２１、Ｂ５１２２、Ｂ５１２３は、空気調和機２Ａに対応する温度設定釦である。また、釦Ｂ５２２１、Ｂ５２２２、Ｂ５２２３は、空気調和機２Ｂに対応する温度設定釦である。
【００６４】
本構成によれば、複数の空気調和機２Ａ、２Ｂを１つの制御装置１で制御する構成としつつ、各空気調和機２Ａ、２Ｂの設置場所に応じて個別に運転状態を設定することが可能となる。
【００６５】
実施の形態１では、第１制御情報記憶部１３１が、複数の運転時期それぞれに応じた空気調和機２の１種類の第１制御情報を、複数の運転時期に対応づけて記憶する例について説明した。但し、各運転時期に応じた第１制御情報は１種類に限定されるものではない。例えば第１制御情報記憶部１３１が、複数の運転時期それぞれに応じた空気調和機２の複数種類の第１制御情報を、複数の運転時期に対応づけて記憶するものであってもよい。
【００６６】
図１９に示すように、本実施の形態に係る制御装置６００１は、カウント部６１１４を備える点で実施の形態１に係る制御装置１と相違する。また、制御装置６００１は、第１制御情報記憶部１３１が記憶する第１制御情報の内容が実施の形態１に係る制御装置１と相違する。なお、図１９において、実施の形態１と同様の構成については図２と同一の符号を付している。第１制御情報記憶部１３１は、例えば図２０に示すように、１年間を５つの運転時期に分割したときの各運転時期について、２つの空気調和機２Ａ、２Ｂの３種類の運転強度を示す種類識別情報ＩＤＳ１（強）、ＩＤＳ２（中）、ＩＤＳ３（弱）に対応する運転モード情報と設定温度識別情報とを記憶してもよい。設定温度情報記憶部１３３は、図２１に示すように、空気調和機２Ａ、２Ｂそれぞれの設定温度を示す温度情報を、運転モード識別情報と３種類の設定温度識別情報との組み合わせに対応づけて記憶する。
【００６７】
操作情報取得部１１１は、例えば図２２に示すような操作画面６１６１ａを表示部１６１に表示させる。そして、操作情報取得部１１１は、操作画面６１６１ａに表示されたおまかせ釦Ｂ１、強さ設定釦Ｂ６０２１、Ｂ６０２２、学習釦Ｂ３のうちユーザが入力部１６２を介して選択した釦を示す情報を取得する。ここで、制御信号生成部１１７は、制御装置１へ電源が投入された初期において、おまかせ釦が選択されると、図２０に示す種類識別情報ＩＤＳ２（中）に対応する第１制御情報を用いて制御信号を生成する。そして、ユーザが「強め」釦Ｂ６０２１を選択した場合、制御情報生成部１１３は、第１制御情報記憶部１３１が記憶する種類識別情報ＩＤＳ１（強）に対応する第１制御情報を取得し、第２制御情報として第２制御情報記憶部１３２に記憶させる。また、ユーザが「弱め」釦Ｂ６０２２を選択した場合、制御情報生成部１１３は、第１制御情報記憶部１３１が記憶する種類識別情報ＩＤＳ３（弱）に対応する第１制御情報を取得し、第２制御情報として第２制御情報記憶部１３２に記憶させる。
【００６８】
カウント部６１１４は、計時部１１５から日時情報を取得して、一の運転期間内においてユーザにより同一の強さ設定釦が選択された回数をカウントする。また、カウント部６１１４は、補助記憶部１０３が記憶する同一の強さ設定釦が選択された選択回数に対する回数閾値を参照し、一の運転期間内における同一の強さ設定釦の選択回数が回数閾値以上であるか否かを判定する。カウント部６１１４は、一の運転期間内において同一の強さ設定釦の選択回数が回数閾値以上であると判定すると、第２制御情報に含める運転モード情報を新たに特定するよう指令する特定指令情報と日時情報とを制御情報生成部１１３へ通知する。制御情報生成部１１３は、特定指令情報と日時情報とを受けると、新たに運転モード情報を特定し、特定した運転モード情報を含む第２制御情報を生成して日時情報と対応づけて第２制御情報記憶部１３２に記憶させる。例えば回数閾値が、２回に設定されている場合、制御情報生成部１１３は、一の運転期間内に同一内容の第２制御情報が２回生成されると、新たに特定した運転モード情報を含む第２制御情報を生成して第２制御情報記憶部１３２に記憶させる。
【００６９】
次に、本変形例に係る制御装置６００１が実行する空気調和機制御処理について図２３および図２４を参照しながら説明する。この空気調和機制御処理は、例えば空気調和機３００２が運転している状態で制御装置４００１へ電源が投入されたことを契機として開始される。
【００７０】
まず、操作情報取得部１１１は、図２３に示すように、操作部１６から操作情報を取得すると（ステップＳ６０１：Ｙｅｓ）、操作内容判別部１１２は、操作情報が示す操作内容が強さ設定釦を選択する操作である第１操作内容を示しているか否かを判定する（ステップＳ６０２）。なお、ステップＳ６０１、Ｓ６０２の処理は、実施の形態１の図５のステップＳ１０１、Ｓ１０２の処理と同様である。操作内容判別部１１２が、操作情報が示す操作内容が強さ設定釦の選択以外を示していると判定すると（ステップＳ６０２：Ｎｏ）、ステップＳ６０３以降の処理が実行される。なお、ステップＳ６０３以降の処理は、実施の形態１の図５のステップＳ１０６以降の処理と同様である。
【００７１】
一方、操作内容判別部１１２は、操作情報が示す操作内容が前述の第１操作内容、即ち、強さ設定釦を選択する操作を示していると判定したとする（ステップＳ６０２：Ｙｅｓ）。この場合、カウント部６１１４は、図２４に示すように、計時部１１５から日時情報を取得する（ステップＳ６１１）。次に、カウント部６１１４は、補助記憶部１０３が記憶する同一の強さ設定釦、即ち、「強め」釦または「弱め」釦が選択された選択回数に対する回数閾値を参照し、一の運転期間内における同一の強さ設定釦の選択回数が回数閾値以上であるか否かを判定する（ステップＳ６１２）。カウント部６１１４により一の運転期間内における同一の強さ設定釦の選択回数が回数閾値未満であると判定されると（ステップＳ６１２：Ｎｏ）、制御情報生成部１１３は、第２制御情報を生成して日時情報と対応づけて第２制御情報記憶部１３２に記憶させる（ステップＳ６１３）。例えば空気調和機２Ａ、２Ｂが、「中」に対応する第１制御情報に応じた運転状態にあるときに、ユーザが「強め」釦を選択すると、制御情報生成部１１３は、例えば図２０に示すような第１制御情報記憶部１３１を参照して、「強」に対応する第１制御情報を第２制御情報として第２制御情報記憶部１３２に記憶させる。一方、ユーザが「弱め」釦を選択すると、制御情報生成部１１３は、例えば図２０に示すような第１制御情報記憶部１３１を参照して、「弱」に対応する第１制御情報を第２制御情報として第２制御情報記憶部１３２に記憶させる。
【００７２】
続いて、制御信号生成部１１７は、第２制御情報記憶部１３２から第２制御情報を取得し（ステップＳ６１４）、取得した第２制御情報に基づいて制御信号を生成して空気調和機２Ａ、２Ｂへ送信する（ステップＳ６１０）。
【００７３】
一方、カウント部６１１４により一の運転期間内における同一の強さ設定釦の選択回数が回数閾値以上であると判定されると（ステップＳ６１２：Ｙｅｓ）、制御情報生成部１１３は、生成する第２制御情報に含める運転モード情報を新たに特定する（ステップＳ６１５）。例えば空気調和機２Ａ、２Ｂが「冷房」モードで運転しているときに、ユーザが「弱め」釦を回数閾値以上選択したとする。この場合、制御情報生成部１１３は、生成する第２制御情報に含める運転モード情報として、「暖房」モードを示す運転モード情報を新たに特定する。その後、前述のステップＳ６１３以降の処理が実行される。これにより、例えば空気調和機２Ａ、２Ｂが「冷房」モードで運転されている場合にユーザが肌寒く感じたとき、ユーザは「弱め」釦Ｂ６０２２を予め設定された回数閾値以上選択するだけで、空気調和機２Ａ、２Ｂの運転モードを暖房モードに切り替えることができる。
【００７４】
なお、本変形例において、図２２に示すおまかせ釦Ｂ１に代えて「強」釦、「中」釦、「弱」釦が表示されるようにし、図２０に示す「強」、「中」、「弱」に対応する第１制御情報を直接選択することができるようにしてもよい。
【００７５】
本構成によれば、第１制御情報記憶部１３１が、複数の運転時期それぞれに応じた空気調和機２の複数種類の第１制御情報を、複数の運転時期に対応づけて記憶している。これにより、空気調和機２Ａ、２Ｂの運転状態をきめ細かく設定することができるので、空気調和機２Ａ、２Ｂが設置された室内に居るユーザの嗜好に適合した環境とすることができる。また、ユーザは強さ設定釦を予め設定された回数閾値以上選択するだけで、空気調和機２Ａ、２Ｂの運転モードを変更することができる。これにより、ユーザは空気調和機２Ａ、２Ｂの運転モードを意識することなく体感に基づいた操作により空気調和機２Ａ、２Ｂの設定を変更することができるので、ユーザの利便性が向上する。
【００７６】
実施の形態１に係る制御装置１において、空気調和機２が設置された地域を示す設置地域情報を取得する地域情報取得部（図示せず）と、地域情報取得部が取得する設置地域情報に基づいて、第１制御情報記憶部１３１が記憶する複数の第１制御情報それぞれに対応する運転時期を設定する運転時期設定部（図示せず）と、を更に備える制御装置であってもよい。この場合、第１制御情報記憶部１３１は、例えば図２５に示すように、第１制御情報を、空気調和機２が設置される地域毎に異なる運転時期に対応づけて記憶しているものであってもよい。具体的には、各運転時期の開始日と終了日とが、空気調和機２が設置される地域によって異なっている。地域情報取得部は、例えばＧＰＳ受信機を有し、ＧＰＳ信号を利用した測位により得られる制御装置の位置情報と、補助記憶部１０３が予め記憶する地図情報と、に基づいて、設置地域情報を取得するものであってもよい。
【００７７】
本構成によれば、空気調和機２の運転状態を空気調和機２が設置された設置地域に最適な状態にすることができるので、空気調和機２が設置された場所の快適性を向上させることができる。
【００７８】
実施の形態１では、空気調和機２の設定温度が３種類存在する例について説明したが、これに限らず、例えば操作部１６がテンキーを備えるものであれば、空気調和機２の設定温度をテンキーにより数値を入力して変更することができるようにしてもよい。この場合、空気調和機２の設定温度の範囲が、空気調和機２の運転モード毎に個別に設定されていればよい。
【００７９】
また、本発明に係る制御装置１の各種機能は、ソフトウェア、ファームウェア、またはソフトウェアとファームウェアとの組み合わせにより実現されてもよい。この場合、ソフトウェアやファームウェアは、プログラムとして記述され、補助記憶部１０３に記憶される。また、本発明に係る制御装置１の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行する制御装置１を構成してもよい。
【００８０】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳ（Operating System）の制御の下、他のアプリケーションと同様に実行する。これにより、コンピュータは、上述の処理を実行する制御装置１として機能する。
【００８１】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００８２】
本発明は、予め設定された制御情報に基づいて季節の変化に応じて運転状態を変更する空気調和機の制御に好適である。
【符号の説明】
【００８３】
１，２００１，３００１，４００１，６００１  制御装置、２，２Ａ，２Ｂ，３００２  空気調和機、１６  操作部、２１  制御部、２２，２７  駆動部、２３  圧縮機、２４  温度センサ、２５  湿度センサ、２８  送風ファン、１０１，２０１  ＣＰＵ、１０２，２０２  主記憶部、１０３，２０３  補助記憶部、１０４ａ，１０４ｂ，２０４ａ，２０４ｂ，２０４ｃ，２０４ｄ  インタフェース、１０５，２０５  通信部、１０９，２０９  バス、１１１  操作情報取得部、１１２  操作内容判別部、１１３  制御情報生成部、１１４  更新部、１１５  計時部、１１６  特定部、１１７  制御信号生成部、１３１  第１制御情報記憶部、１３２  第２制御情報記憶部、１３３  設定温度情報記憶部、１６１  表示部、１６１ａ，５１６１ａ，６１６１ａ  操作画面、１６２  入力部、２１１  空調制御部、２１３  環境情報送信部、２１１４，６１１４  カウント部、３１１５  環境情報取得部、３１１８  類似判定部、４１１９  制御情報判定部、４１３４  採用制御情報記憶部、Ｂ１  おまかせ釦、Ｂ２１，Ｂ２２，Ｂ２３，Ｂ５１２１，Ｂ５１２２，Ｂ５１２３，Ｂ５２２１，Ｂ５２２２，Ｂ５２２３  温度設定釦、Ｂ３  学習釦、Ｂ６０２１，Ｂ６０２２  強さ設定釦
【図１】
2019143908.tif 000003
【図２】
2019143908.tif 000004
【図３】
2019143908.tif 000005
【図４】
2019143908.tif 000006
【図５】
2019143908.tif 000007
【図６】
2019143908.tif 000008
【図７】
2019143908.tif 000009
【図８】
2019143908.tif 000010
【図９】
2019143908.tif 000011
【図１０】
2019143908.tif 000012
【図１１】
2019143908.tif 000013
【図１２】
2019143908.tif 000014
【図１３】
2019143908.tif 000015
【図１４】
2019143908.tif 000016
【図１５】
2019143908.tif 000017
【図１６】
2019143908.tif 000018
【図１７】
2019143908.tif 000019
【図１８】
2019143908.tif 000020
【図１９】
2019143908.tif 000021
【図２０】
2019143908.tif 000022
【図２１】
2019143908.tif 000023
【図２２】
2019143908.tif 000024
【図２３】
2019143908.tif 000025
【図２４】
2019143908.tif 000026
【図２５】
2019143908.tif 000027